(57)【特許請求の範囲】
【請求項１】
吸気接続口から室外気を吸い込む吸気送風機と、排気接続口から室内気を排気する排気送風機とを本体ケーシングに組み込み、前記吸気送風機の吐出し側には一部を熱交換器の一方の作動流体通路で構成した室内に開放する吸気通風路を設け吸気吹出口から前記室内に吹出し、前記排気送風機の吸込み側には一部を前記熱交換器のもう一方の作動流体通路で構成した室内に開放する排気通風路を設け排気吸込口から吸い込む空調換気扇であって、
前記熱交換器の下方に回転自在のドレン皿を設け、前記ドレン皿の相対向する側面に接続される軸支材を本体ケーシングに設けることで、前記ドレン皿を回転自在に軸支し、前記軸支材の少なくとも一方には排水管を設けていることを特徴とする空調換気扇。
【請求項２】
吸気接続口から室外気を吸い込む吸気送風機と、排気接続口から室内気を排気する排気送風機とを本体ケーシングに組み込み、前記吸気送風機の吐出し側には一部を熱交換器の一方の作動流体通路で構成した室内に開放する吸気通風路を設け吸気吹出口から前記室内に吹出し、前記排気送風機の吸込み側には一部を前記熱交換器のもう一方の作動流体通路で構成した室内に開放する排気通風路を設け排気吸込口から吸い込む空調換気扇であって、
前記熱交換器の下方に回転自在のドレン皿を設け、前記ドレン皿が回転した場合に下方となる端部の上部に局部的な天井面を設けることで前記ドレン皿の一部を側面と底面と前記天井面とからなる容器状とし、前記ドレン皿の回動位置でドレンを保持する構造としたことを特徴とする空調換気扇。
【請求項３】
ドレン皿は排水管接続口を有し、前記ドレン皿の内側底部に凹部を設け、前記凹部に弾性シール部材を設け、前記弾性シール部材の軸方向に働く弾性力で前記排水管接続口に挿通させた排水管が前記ドレン皿と接続状態に保持される構成であることを特徴とする請求項１から請求項２いずれか記載の空調換気扇。
【発明の詳細な説明】
【０００１】
【発明の属する技術分野】
この発明は排気する室内気と吸気する室外気との間で連続的に熱交換させることができる同時吸排気式の空調換気扇に関するものである。
【０００２】
【従来の技術】
従来における空調換気扇は、例えば実公昭６４ー４０２７号公報に示されているような構成となっている。即ち、図２０に示すように室内外を区切る壁体に開けられた取付孔に嵌め装着される本体７０と、この本体７０の室内側に装着される化粧カバー７１とからなる。本体７０には室外気を吸い込む吸気送風機７３と室内気を排気する排気送風機７２とが組み込まれ、化粧カバー７１には熱交換器７４が組込まれている。吸気送風機７３の吐出し側には一部が熱交換器７４の一方の作動流体通路で構成された室内に開放する給気通風路が構成され、排気送風機７２の吸込み側には一部が熱交換器７４のもう一方の作動流体通路で構成された室内に開放する排気通風路が構成されている。吸気送風機７３の吸込み側と排気送風機７２の吐出し側は共に本体７０の室外側端に形成された吸気口７５と排気口７６とにそれぞれ連絡されている。
【０００３】
上記構成の空調換気扇は新鮮な室外気を熱交換器７４を通して室内へ供給し、同時に汚濁した室内気を熱交換器７４を通して室外へ排気することができる。即ち、排気流と吸気流との間で熱交換が連続的に行なわれ、室内の温度の変動の少ない吸排気による換気を行なうことができる。
【０００４】
【発明が解決しようとする課題】
上記のような従来の空調換気扇においては本体７０の室外側端に吸気口７５と排気口７６とが開設されていて、これらを室外（殆どの場合屋外）に臨ませる必要があることから、外壁を持つ部屋に対してしか取り付けることができず、外壁を持たない部屋には取り付けることができないといった解決すべき課題を含んでいる。外壁を持たない部屋は近年では住宅の集合化やビル化に伴い増える傾向にある。また、熱交換器７４に生じるドレンを受ける構造を持っているものの、自体で排水処理ができないため、室内にドレンが滴下するような不都合もあり、熱交換器をメンテナンス等のために取り外す場合、ドレン受け等に残留しているドレンが作業者に滴下することもあった。
【０００５】
さらには、熱交換器７４を保持する保持部と風路の隙間から空気漏れやドレン漏れなどが起き易く、実際には施工も難しく、室内への出寸法も大きいといった課題もある。
【０００６】
この発明は上記した従来の課題を解決するためになされたもので、その目的は第１には、空調換気扇の取り付けにおける外壁の有無の制約を解消することであり、第２にはドレンの自律的な処理及び熱交換器のメンテナンスの容易化を図ることであり、第３には熱交換器を取り外す際にドレン水が滴下することを防止することであり、第４には空気漏れやドレン漏れを防止することであり、第５には施工を簡略化し、取付け取り外しを容易にすることであり、第６にはドレン配管の自由度を広げることであり、第７には小型化を計ることである。
【０００７】
【課題を解決するための手段】
熱交換器の下方に回転自在のドレン皿を設け、ドレン皿の相対向する側面に接続される軸支材を本体ケーシングに設けることで、ドレン皿を回転自在に軸支し、軸支材の少なくとも一方には排水管を設けている。
【０００８】
熱交換器の下方に回転自在のドレン皿を設け、ドレン皿が回転した場合に下方となる端部の上部に局部的な天井面を設けることでドレン皿の一部を側面と底面と天井面とからなる容器状とし、ドレン皿の回動位置でドレンを保持する構造とした。
【０００９】
また、ドレン皿は排水管接続口を有し、ドレン皿の内側底部に凹部を設け、凹部に弾性シール部材を設け、弾性シール部材の軸方向に働く弾性力で排水管接続口に挿通させた排水管がドレン皿と接続状態に保持される構成である。
【００１０】
【発明の実施の形態】
実施の形態１．
図１はこの発明の実施の形態を示す空調換気扇の縦断面図で、図２は同じく空調換気扇の全体の斜視図である。
【００１１】
この空調換気扇は天井裏の空間に取り付ける本体と天井面Ｃに添って本体の下面に装着される化粧パネル１からなる。本体は下面の開放した箱型の本体ケーシング２内に換気機能部品を組込んだ構成である。即ち、室外気を吸い込む吸気送風機３と室内気を排気する排気送風機４とが本体ケーシング２に組み込まれ、吸気送風機３の吐出し側には一部を熱交換器５の一方の作動流体通路で構成した吸気通風路６が設けられ、排気送風機４の吸込み側には一部を前記熱交換器５のもう一方の作動流体通路で構成した排気通風路７が設けられている。吸気通風路６の出口端は化粧パネル１の吸気吹出口８で室内に通じ、排気通風路７の入口端は化粧パネル１の吸気吹出口８に並んで形成された排気吸込口９に通じている。熱交換器５の排気流を通す作動流体通路は排気流の流れ方向に向かって下り勾配となるように形成され、その下傾端の下方にはドレン皿１０が熱交換器５の保持部１１を兼ねて取り付けられている。吸気送風機３の吸込み側と排気送風機４の吐出し側は共にダクト接続可能の吸気接続口１２と排気接続口１３としてそれぞれ本体ケーシング２の背面側に横並びに構成されている。なお、図１におけるイ矢印は吸気流の流れを、ロ矢印は排気流の流れをそれぞれ示している。また、吸気通風路６と排気通風路７とは全経路にわたり独立状態に仕切部材１４等で区分されている。
【００１２】
ドレン皿１０は一側端の両端に筒状の排水管接続口１５と軸部１５ａとが同一軸線上に突設され、この軸部１５ａと排水管接続口１５とにより本体ケーシング２に垂直方向への回動を可能に軸支されている。ただし通常は、排水管接続口１５側が下傾端となる若干の勾配を持つ状態にストッパ等により保持されている。排水管接続口１５には排水管１６が接続され所定の排水場所に連絡される。また吸気接続口１２と排気接続口１３とにもダクトが接続されそれぞれ室外へ連絡される。
【００１３】
上記構成の空調換気扇もその換気機能については前述した従来のものと同じである。この空調換気扇の特徴は、吸気接続口１２と排気接続口１３にそれぞれダクトを接続してダクトによりそれぞれを室外へ連絡させることができるので、部屋が外壁に面する面しないに関係なく部屋の天井等を利用して取り付けることができ、熱交換器５に生じるドレンもドレン皿１０から排水管１６により設定した場所に排水されるので室内にドレンが滴下するような不都合がないことである。また、特に熱交換器５のメンテナンス時には熱交換器５の下に位置するドレン皿１０をその排水管接続口１５と軸部１５ａとを軸として邪魔にならない位置に回動させることができるので、ドレン皿１０を取り外さずに容易に熱交換器５のメンテナンスが実施できる。取付状態では、本体ケーシング２内に換気機能部品が組込まれ、天井面Ｃ側には化粧パネル１が呈出するのみであるから、室内側への出寸法は極めて少ないものである。
【００１４】
このようにすることで、吸気接続口から室外気を吸い込む吸気送風機と、排気接続口から室内気を排気する排気送風機とを本体ケーシングに組み込み、吸気送風機の吐出し側には一部を熱交換器の一方の作動流体通路で構成した室内に開放する吸気通風路を設け吸気吹出口から室内に吹出し、排気送風機の吸込み側には一部を熱交換器のもう一方の作動流体通路で構成した室内に開放する排気通風路を設け排気吸込口から吸い込む空調換気扇であって、熱交換器の下方に回転自在のドレン皿を設けたので、特に熱交換器のメンテナンス時には熱交換器の下に位置するドレン皿を邪魔にならない位置に回動させることができるようになる。
【００１５】
また、ドレン皿は、ドレン皿の対向する２側面で回転の中心となる軸と接続され、軸の少なくとも一方は排水管を兼用しているので、特に熱交換器のメンテナンス時には熱交換器の下に位置するドレン皿をその排水管接続口を軸として邪魔にならない位置に回動させることができるようになる。
【００１６】
実施の形態２．
図３，４及び図５，６はそれぞれドレン皿１０についての他の実施の形態を示したものである。ドレン皿１０以外の構成は前述の実施の形態１のものと同じであり、それらについての説明は図に共通符号を付すことで省略する。
【００１７】
このドレン皿１０は、ドレン皿１０の回転軸となる軸部１５ａと排水管接続口１５のある側とは反対側の上部に局部的な天井面１７が設けられている。これにより、図４に示すように熱交換器５のメンテナンス等のためにドレン皿１０を軸部１５ａと排水管接続口１５において下方へ回動させても、ドレン皿１０上に残留していたドレンはドレン皿１０の側面と底面と天井面１７とにより構成される容器状部分１８に流下し貯溜されるため、作業者にドレンが滴下するような不都合がなくなり、メンテナンス等の作業がし易くなる。
【００１８】
特に、図５，６に示すようにドレン皿１０の両側中間部から内方に向かってそれぞれ二等辺三角形状態のガイド突部１９を設けると、通常の排水時には水は図６の点線矢印で示すように流れ、熱交換器５のメンテナンス等のためにドレン皿１０を軸部１５ａと排水管接続口１５において下方へ回動させたときには、図６の実線矢印のようにガイド突部１９により中央よりにドレンが寄せられて容器状部分１８に流下し貯溜されることになり、ドレンの滴下をより確実に防ぐことができる。
【００１９】
このようにすることで、ドレン皿は、ドレン皿の軸支側と反対側の上面に天井面を設けたので、特に熱交換器のメンテナンス時等にドレン皿を回動させると、回動位置におけるドレン皿の下部に天井面と側面と底面とによる容器状部分ができ、ドレンが外部に流出しにくくなる。
【００２０】
実施の形態３．
図７はこの発明の実施の形態を示す空調換気扇の縦断側面図で、図８から図１１は同じくこの空調換気扇の取付け時の説明図並びに部分斜視図と部分断面図である。
【００２１】
この空調換気扇は前記実施の形態１により示したものの、熱交換器５とドレン皿１０を当該部の吸気通風路６及び排気通風路７並びに熱交換器５の保持部１１も含め一体に成形したチャンバ構造体２０に組み込み、チャンバ構造体２０の本体ケーシング２内への装着により熱交換系統及びドレン系統が構成されるものである。また、吸気送風機３の吸込み側と排気送風機４の吐出し側は共にダクト接続可能の吸気接続口１２と排気接続口１３としてそれぞれ本体ケーシング２とは別体に構成された吸排気枠２１に設けられ、吸排気枠２１への本体ケーシング２の接合により一連の通風路が構成されるようになっている。
【００２２】
チャンバ構造体２０は図９，１０に示すように本体ケーシング２に下方から挿入固定できる下方の開放した箱体として構成され、内部上側に熱交換器装着部が、その下にドレン皿装着部が形成されている。熱交換器装着部には熱交換器５の対向する稜角部をそれぞれ隙間を作ることなく保持する保持部１１が形成されている。熱交換器５の上下に位置する他の稜角部には、図１０のように排気流の通る作動流体通路の出入口側に膨出する膨出部２２が設けられている。ドレン装着部は前後に熱交換器装着部より外側に広い段差部２３が形成され、ドレン皿１０の軸部１５ａと排水管接続口１５をそれぞれ軸支する軸支部２４が対向位置に形成されている。軸支部２４に軸支させたドレン皿１０は、図１１のようにチャンバ構造体２０に組込んだ熱交換器５の下側の膨出部２２を回動側において隙間なく受容し、段差部２３に上面が当接して熱交換器装着部の平面積を下方において受容する構成となっている。従って、熱交換器装着部側からのドレンは図１１のように全てドレン皿１０に受容されることになる。なお、排水管接続口１５側の軸支部２４は下方の開放したＵ溝２５と上方の開放したＵ溝２６を間隔をおいて内外に隣接させた構成である。
【００２３】
吸排気枠２１には、吸気接続口１２と排気接続口１３とともにドレンを外部に排水するための外部排水接続部２７が設けられている。この吸排気枠２１は、下部にフランジ２８を備え、上部に本体ケーシング２との係合構造を備えていて、単独に図８のように天井面Ｃに開設された取付孔に取付ることができる。即ち、初めに吸排気枠２１を図８のように単独で天井面Ｃの取付孔を介して天井裏の空間に垂立状態に取付けておいて、その後、チャンバ構造体２０を組込んだ本体ケーシング２を天井面Ｃの取付孔に下から差し込むようにして取付け、本体ケーシング２と先に取付けられている吸排気枠２１とを接合させる。ドレン皿１０の排水管接続口１５と吸排気枠２１の外部排水接続部２７とをドレン接続管２９により接続する。
【００２４】
この実施の形態の空調換気扇は、基本的には実施の形態１により示したものと同様の機能を果たすが、特にチヤンバ構造体２０により熱交換器５の保持部１１やドレン皿１０の保持部及び当該部分の風路が一体に形成されていることにより、空気漏れやドレン漏れ等を防ぐことができ、しかも、本体外に接続させる必要のある吸気接続口１２や排気接続口１３並びに外部排水接続部２７を集合させた吸排気枠２１を、別体として単独に取付けうるようにしているので、施工性がよく取付けの困難度を低減することができる。
【００２５】
このようにすることで、熱交換器を保持する保持部と、ドレン皿を支持する支持部と、熱交換器近傍の吸気通風路と排気通風路とを一体成形により備えたチャンバ構造体に、熱交換器及びドレン皿が組込まれ、チャンバ構造体には熱交換器装着側とドレン皿装着側に外側段差を設け、ドレン皿をその段差の外側で受けるようにしたので、空気漏れやドレン漏れを起こす隙間ができないように構成できるとともに、段差によりドレン皿にドレンが受入し易くなる。
【００２６】
また、ドレン皿は排水接続口を有し、吸気接続口と連通されダクトを通じて室外空気を吸気する吸込み側ダクト接続口と、排気接続口と連通されダクトを通じて室内空気を排気する吐出し側ダクト接続口と、排水接続口と可撓構造を持つドレン接続管を介して連通される外部排水接続部とを具備した吸排気枠を有するので、吸排気枠だけを先に取付け、必要工事を済ましてから、本体ケーシングを取付けることができるようになる。
【００２７】
実施の形態４．
この実施の形態は、上記実施の形態３により示した空調換気扇におけるドレン皿１０と吸排気枠２１の外部排水接続部２７との接続構造に関するものである。即ち、図１２，１３に示すように、ドレン皿１０の内部側排水口３０に臨む底面には蒲鉾状の凹部３１が形成され、内部側排水口３０の口縁にはリング形の弾性シール部材３２が装着されている。ドレン皿１０と吸排気枠２１との間を連絡させ、ドレン皿１０のドレンを外部に導き出すドレン接続管２９は、図１２に示すように、ドレン皿１０の凹部３１に嵌まる外径の大径部３３に、ドレン皿１０の排水管接続口１５に差し通すことができる可撓構造を持つ小径の導管部を連設した構成である。大径部３３の中心線方向の長さは、弾性シール部材３２を圧縮させた状態で凹部３１に嵌合するように設定されている。
【００２８】
上記構成のドレン皿１０部分の接続構造によれば、ドレン接続管２９をドレン皿１０内から導管部を先にして排水管接続口１５に差し通し、大径部３３を弾性シール部材３２に押し当ててこれを圧縮させた状態で凹部３１に嵌め込めば、ドレン接続管２９を簡単かつ容易に安定良く装着することができる。即ち、圧縮された弾性シール部材３２の弾性復帰力が大径部３３を押し戻す方向に働き、大径部３３の端が凹部３１の端面に付勢状態で当たり係止される。熱交換器５のメンテナンス等でドレン接続管２９を外す必要ができた場合には、弾性シール部材３２を圧縮させておいて抜き取れば簡単に取り外すことができる。
【００２９】
このようにすることで、ドレン皿は排水管接続口を有し、ドレン皿の内側底部に凹部を設け、凹部に弾性シール部材を設け、弾性シール部材の軸方向に働く弾性力で排水管接続口に挿通させた排水管がドレン皿と接続状態に保持される構成であるので、排水管の係脱が簡単にできるようになるとともに排水管の取付け状態も安定する。
【００３０】
実施の形態５．
この実施の形態は、上記実施の形態３により示した空調換気扇における吸排気枠２１の外部排水接続部２７の構造に関するものである。即ち、図１４〜図１７に示すように、吸排気枠２１にはドレン接続管２９端を通す引出口３４が開設され、この引出口３４の外側左右に対向状に取付部３５，３６が形成されている。一方の取付部３５は切り起こしにより形成され、内向きに開放した係合部３７を有する。他方の取付部３６は、ほぼ台形の膨出部として形成され上下にねじ孔３８が設けられている。外部排水接続部２７は、基部にフランジ３９を持つＬ字管４０と略Ｃ字形の固定金具４１とにより構成されている。Ｌ字管４０のフランジ３９にはその内側に弾性シール材４２が接着され、引出口３４の外側口縁に密着させることができるようになっている。固定金具４１は、Ｌ字管４０を嵌め込む切り込み４３と、一方の取付部３５の係合部３７に差し込む掛け止め部と、他方の取付部３６に当接し、ねじ孔３８に一致する取付孔を有する固定部とからなる金属板である。
【００３１】
フランジ３９に設けた弾性シール材４２を引出口３４の口縁に接合させたＬ字管４０は、図１６に示すように固定金具４１の切り込み４３に押さえられ、固定金具４１の掛け止め部の一方の取付部３５の係合部３７への差し込みと、他方の取付部３６へのねじ４４，４５による締め付けにより、弾性シール材４２が圧縮された状態で取付けられている。外部に連絡させる排水管１６はＬ字管４０に対して接続される。
【００３２】
この実施の形態の外部排水接続部２７によれば、図１４，１５に示すようにＬ字管４０をいずれの向きにも回転させて取付けることができ、排水管１６の排水勾配も自由に設定することが可能になる。
【００３３】
このようにすることで、レンを外部に導き排水管と接続される外部排水接続部は、回転自在なＬ字管と、Ｌ字管を固定する固定手段とからなるので、外部排水管の接続方向の自由度が高価な部品を使うことなく増すことになる。
【００３４】
実施の形態６．
この実施の形態は、上記実施の形態１及び実施の形態３により示した空調換気扇における吸気送風機３と排気送風機４とに関するものである。即ち、図１８，１９に示すように吸気送風機３と排気送風機４とは、樹脂による一体成形物として構成されたスクロール４６とシロッコ羽根４７と駆動モータ４８とによりそれぞれ構成されている。スクロール４６における吸込口４９は、羽根回転空間５０に中心線方向から連通し、吹出口５１は羽根回転空間５０から緩やかな勾配のスクロール状のガイド部５２により所定の吹き出し位置に形成されている。これにより、圧力損失を抑えながら吹き出し位置を変えることができるので、性能を落さずに装置の小型化が可能になる。
【００３５】
このようにすることで、吸気送風機と排気送風機を、スクロールの吹出口を羽根回転空間から始まる緩やかな勾配で続くガイド部により連絡させたシロッコ送風機で構成したので、圧力損失を抑えながら吹き出し位置を変えることができる。
【００３６】
【発明の効果】
熱交換器の下方に回転自在のドレン皿を設け、ドレン皿の相対向する側面に接続される軸支材を本体ケーシングに設けることで、ドレン皿を回転自在に軸支し、軸支材の少なくとも一方には排水管を設けているので、特に熱交換器のメンテナンス時には熱交換器の下に位置するドレン皿をその排水管接続口を軸として邪魔にならない位置に回動させることができ、熱交換器のメンテナンスが容易になる。
【００３７】
熱交換器の下方に回転自在のドレン皿を設け、ドレン皿が回転した場合に下方となる端部の上部に局部的な天井面を設けることでドレン皿の一部を側面と底面と天井面とからなる容器状とし、ドレン皿の回動位置でドレンを保持する構造としたので、特に熱交換器のメンテナンス時等にドレン皿を回動させても、回動位置におけるドレン皿の下部に天井面と側面と底面とによる容器状部分ができ、ドレンが外部に流出しにくくなるので作業がし易いものとなる。
【００３８】
また、ドレン皿は排水管接続口を有し、ドレン皿の内側底部に凹部を設け、凹部に弾性シール部材を設け、弾性シール部材の軸方向に働く弾性力で排水管接続口に挿通させた排水管がドレン皿と接続状態に保持される構成であるので、特にドレン皿に弾性シール部材の軸方向に働く弾性力で排水管接続口に挿通させた排水接続管としての排水管が接続状態に付勢保持されるので、排水管の係脱が簡単かつ容易にできるようになり、排水管の取付け状態も安定化する。
【図面の簡単な説明】
【図１】  この発明の実施の形態１を示す空調換気扇の縦断面図である。
【図２】  この発明の実施の形態１を示す空調換気扇の斜視図である。
【図３】  この発明の他の実施の形態２を示すドレン皿の斜視図である。
【図４】  この発明の他の実施の形態２を示す空調換気扇の縦断面図である。
【図５】  この発明の他の実施の形態２を示すドレン皿の斜視図である。
【図６】  この発明の他の実施の形態２を示すドレン皿の平面図である。
【図７】  この発明の他の実施の形態３を示す空調換気扇の縦断側面図である。
【図８】  図７の空調換気扇の取付時の説明図である。
【図９】  この発明の実施の形態３を示すチャンバ構造体の分解斜視図である。
【図１０】  この発明の実施の形態３を示すチャンバ構造体の縦断側面図である。
【図１１】  この発明の実施の形態３を示すチャンバ構造体の縦断正面図である。
【図１２】  この発明の実施の形態４を示す空調換気扇のドレン皿部分の拡大分解斜視図である。
【図１３】  この発明の実施の形態４を示すドレン皿部分拡大斜視図である。
【図１４】  この発明の実施の形態５を示す空調換気扇の背面図である。
【図１５】  この発明の実施の形態５を示す空調換気扇の背面図である。
【図１６】  図１５におけるＡ矢印部の拡大分解斜視図である。
【図１７】  図１５におけるＡ矢印部の拡大断面図である。
【図１８】  この発明の実施の形態６を示す空調換気扇の送風機のスクロールを示す斜視図である。
【図１９】  この発明の実施の形態６を示す空調換気扇の送風機の構成を示す断面図である。
【図２０】  従来の空調換気扇の構成を示す縦断面図である。
【符号の説明】
２  本体ケーシング、  ３  吸気送風機、  ４  排気送風機、  ５  熱交換器、  ６  吸気通風路、  ７  排気通風路、  １０  ドレン皿、  １１  保持部、  １２  吸気接続口、  １３  排気接続口、  １５  排水管接続口、  １６  排水管、  １７  天井面、  １８  容器状部分、  ２０  チャンバ構造体、  ２１  吸排気枠、  ２３  段差部、  ２７  外部排水接続部、  ２９  ドレン接続管、  ３１  凹部、  ３２  弾性シール部材、  ３３  大径部、  ４０  Ｌ字管、  ４１  固定金具、  ４６  スクロール、  ５１  吹出口、  ５２  ガイド部。
【図１】
0003664107.tif 000002
【図２】
0003664107.tif 000003
【図３】
0003664107.tif 000004
【図４】
0003664107.tif 000005
【図５】
0003664107.tif 000006
【図６】
0003664107.tif 000007
【図７】
0003664107.tif 000008
【図８】
0003664107.tif 000009
【図９】
0003664107.tif 000010
【図１０】
0003664107.tif 000011
【図１１】
0003664107.tif 000012
【図１２】
0003664107.tif 000013
【図１３】
0003664107.tif 000014
【図１４】
0003664107.tif 000015
【図１５】
0003664107.tif 000016
【図１６】
0003664107.tif 000017
【図１７】
0003664107.tif 000018
【図１８】
0003664107.tif 000019
【図１９】
0003664107.tif 000020
【図２０】
0003664107.tif 000021